(57)【要約】【課題】伝送装置の制御を行う伝送装置制御端末自身の故障を確実且つ集中的に検出する伝送システムおよびその故障検出方法を提供する。【解決手段】コントロールセンタ１０内の複数の伝送装置制御端末２０にその故障を監視する監視アプリケーション２１を設け、その監視結果によりリレー回路２３を導通駆動し、地気監視装置３０との間で地気信号をループさせる。また、必要に応じて地気回復信号をリレー回路２３へ出力する。【選択図】図１
2005117434.tif 000002
【特許請求の範囲】
【請求項１】
伝送装置および該伝送装置の故障や通信回線の障害等の警報の監視を行う地気監視装置を備える伝送システムにおいて、
前記伝送装置の制御を行う伝送装置制御端末を設け、該伝送装置制御端末は自身の故障を監視する監視アプリケーションおよび該監視アプリケーションの監視結果により導通駆動されるリレー回路を備え、該リレー回路は前記地気監視装置に地気信号を流すことを特徴とする伝送システム。
【請求項２】
前記伝送装置は各地の局舎に配置され、前記伝送装置制御端末および前記地気監視装置はコントロールセンタに配置されることを特徴とする請求項１に記載の伝送システム。
【請求項３】
前記伝送装置制御端末は、それぞれ前記監視アプリケーションおよび前記リレー回路を備える複数配置され、該複数の伝送装置制御端末の前記リレー回路からの地気信号を前記地気監視装置で集中的に監視することを特徴とする請求項１又は２に記載の伝送システム。
【請求項４】
前記地気監視装置は、前記伝送装置制御端末の前記リレー回路の導通状態を非道通状態とする地気回復信号を出力することを特徴とする請求項１、２又は３に記載の伝送システム。
【請求項５】
前記監視アプリケーションの監視対象は、前記伝送装置制御端末内の複数のＨＤＤであることを特徴とする請求項１乃至４の何れかに記載の伝送システム。
【請求項６】
前記監視アプリケーションの監視対象である複数のＨＤＤは、ＲＡＩＤ５構成であることを特徴とする請求項５に記載の伝送システム。
【請求項７】
伝送装置、該伝送装置の制御を行う伝送装置制御端末および故障等を監視する地気監視装置を備える伝送システムの故障検出方法において、
前記伝送装置制御端末の故障を監視アプリケーションで監視し、該監視結果により前記地気監視装置との間で地気信号をループさせて前記伝送装置制御端末の故障を通知することを特徴とする故障検出方法。
【請求項８】
前記地気信号の発生中に、前記地気監視装置から地気回復信号を入力して、前記地気信号を停止することを特徴とする請求項７に記載の故障検出方法。
【発明の詳細な説明】
【技術分野】
【０００１】
本発明は伝送システムおよびその故障検出方法に関し、特に伝送装置制御端末の故障を迅速且つ確実に検出する技術に関する。
【背景技術】
【０００２】
現代は正にコンピュータ時代および情報化時代であり、各種の情報を、伝送装置を介して高速で伝送し利用している。斯かる情報の遮断は、営業活動又は日常生活に致命的な影響を与えるので、伝送システムの故障を極力回避して（万一故障が生じた場合には、短時間で復旧させて）、通信事業者は正常な通信サービスを継続して提供することが要求される。
【０００３】
従来の伝送装置は、その電源断等の故障や、通信回線の伝送路符号誤り等の障害が発生した場合に、警報を発する手段の１つとして、地気出力、即ち地球気電位と伝送装置の給電電位との差により発生する電流を利用する方式がある。この方式においては、伝送装置等の警報処理部からの警報信号を警報出力回路で受信し、これを処理した警報項目情報を地気警報出力回路から地気警報監視制御装置等に地気出力して警報項目情報を監視している（例えば、特許文献１参照。）。
【０００４】
図３は、従来の伝送システムのシステム構成を示すブロック図である。この伝送システムは、警報処理部２１１を含む伝送装置２１０と、警報検出回路２０１、警報処理回路２０２および地気警報出力回路を含む地気インタフェース警報出力回路２００と、制御切替スイッチ２２１を含む地気警報監視制御装置２２０とにより構成される。
【０００５】
警報処理部２１１は、伝送装置２１０自体の故障や通信回線の障害等を検出する。警報検出回路２０１は、警報処理部２１１が送信する警報信号を受信する。警報処理回路２０２は、警報検出回路２０１で受信した警報信号を分類すると共に、制御切替スイッチ２２１からの選択制御信号により特定の警報情報を選択する。地気警報出力回路２０３は、警報処理回路２０２が送出した警報情報を受信し、これを地気出力する。また、地気警報監視制御装置２２０は、地気警報出力回路２０３から送出された地気出力を受け、これをランプ表示等により表示出力して、警報の監視および制御を行う。制御切替スイッチ２２１は、上述した警報処理回路２０２への選択制御信号を出力する。
【特許文献１】特開２００２−２８０９７５号公報（第３−４頁、第１図）
【発明の開示】
【発明が解決しようとする課題】
【０００６】
通信事業者が使用する伝送システムにおいて、伝送装置を制御する伝送装置制御端末自身が故障した場合に、その故障を通知し、保守サービス担当者が、直ちに適正な措置が取られるようにする必要がある。故障通知方法は、伝送装置制御端末の例えば本体前面に設けられた警告ランプを点滅するか、ブザー等により警告音を鳴らしている。しかし、斯かる故障検出技法では、担当者が本体前面の警告ランプを見逃した場合又は警報装置の音量設定を消音状態にして運用した場合には、故障に気付くのが遅れてしまうという危険がある。また、故障した箇所が制御端末装置内で冗長構成された部分であり、本来は故障箇所を切り替えれば制御端末装置本体の運用に影響を与えることなく正常状態に復帰可能であるところを、残りの系の故障により制御端末本体の運用に致命的な打撃を与える危険を内包していた。
【０００７】
本発明は、従来技術の斯かる課題に鑑みなされたものであり、伝送装置制御端末の故障を確実、迅速且つ集中的に行うことが可能である伝送システムおよびその故障検出方法を提供することを目的とする。
【課題を解決するための手段】
【０００８】
前述の課題を解決するため、本発明による伝送システムおよびその故障検出方法は、次のような特徴的な構成を採用している。
【０００９】
（１）伝送装置および該伝送装置の故障や通信回線の障害等の警報の監視を行う地気監視装置を備える伝送システムにおいて、
前記伝送装置の制御を行う伝送装置制御端末を設け、該伝送装置制御端末は自身の故障を監視する監視アプリケーションおよび該監視アプリケーションの監視結果により導通駆動されるリレー回路を備え、該リレー回路は前記地気監視装置に地気信号を流す伝送システム。
【００１０】
(２)前記伝送装置は各地の局舎に配置され、前記伝送装置制御端末および前記地気監視装置はコントロールセンタに配置される上記（１）の伝送システム。
【００１１】
(３)前記伝送装置制御端末は、それぞれ前記監視アプリケーションおよび前記リレー回路を備える複数配置され、該複数の伝送装置制御端末の前記リレー回路からの地気信号を前記地気監視装置で集中的に監視する上記（１）又は（２）の伝送システム。
【００１２】
(４)前記地気監視装置は、前記伝送装置制御端末の前記リレー回路の導通状態を非導通状態とする地気回復信号を出力する上記（１）、（２）又は（３）の伝送システム。
【００１３】
(５)前記監視アプリケーションの監視対象は、前記伝送装置制御端末内の複数のＨＤＤである上記（１）乃至（４）の何れかの伝送システム。
【００１４】
(６)前記監視アプリケーションの監視対象である複数のＨＤＤは、ＲＡＩＤ５構成である上記（５）の伝送システム。
【００１５】
(７)伝送装置、該伝送装置の制御を行う伝送装置制御端末および故障等を監視する地気監視装置を備える伝送システムの故障検出方法において、
前記伝送装置制御端末の故障を監視アプリケーションで監視し、該監視結果により前記地気監視装置との間で地気信号をループさせて前記伝送装置制御端末の故障を通知する故障検出方法。
【００１６】
(８)前記地気信号の発生中に、前記地気監視装置から地気回復信号を入力して、前記地気信号を停止する上記（７）の故障検出方法。
【発明の効果】
【００１７】
本発明によると、次の如き実用上の顕著な効果が得られる。先ず、伝送装置制御端末自身に故障が発生した場合に、その故障が見過ごされることなく、直ちに且つ集中的に故障監視することが可能である。その理由は、全ての制御端末に地気発生手段を設け、地気管支装置に接続することにより、制御端末の故障通知を地気管支装置にて一括管理できるためである。
【００１８】
また、本発明によると、伝送装置制御端末の故障を検出するに際し、通信事業会社で伝送装置監視に通常使用されている地気監視装置および既存の地気信号用インフラを利用可能にするので、安価に実施可能である。
【実施例１】
【００１９】
以下、本発明による伝送システムおよびその故障検出方法の実施例の構成および動作を、添付図面を参照して詳細に説明する。
【００２０】
先ず、図１は、本発明による伝送システムの好適実施例のシステム構成を示すブロック図である。コントロールセンタ１０に設けられた伝送装置制御端末２０および地気監視装置３０と、各地の局舎４０に設けられた複数の伝送装置４１ａ〜４１ｄにより構成される。伝送装置制御端末２０は、監視アプリケーション２１と、リレー回路２３が設けられたリレー接点ボード２２とを有する。そして、リレー接点ボード２２および地気監視装置３０間は信号線で接続されている。
【００２１】
図１に示す伝送装置において、通信事業会社のコントロールセンタ１０内に配置されている伝送装置制御端末２０は、各地の局舎４０に設置されている伝送装置４１ａ〜４１ｄの制御を行う。この伝送装置制御端末２０において、故障が発生した場合、この伝送装置制御端末２０内において監視アプリケーション２１が異常を検出する。そして、伝送装置制御端末２０に実装されているリレー接点ボード２２中のリレー回路２３を導通状態とする。その結果、地気監視装置３０からの電流が、導通状態となったリレー回路２３を流れることにより、地気信号が発生する。この地気信号を地気監視装置３０にて検出することにより、地気監視装置３０において、伝送装置制御端末２０の故障通知ができる。そこで、通信事業会社のオペレータは、この故障通知をトリガとして、故障箇所の復旧作業を行えばよい。
【００２２】
また、伝送装置制御端末２０のリレー接点ボード２２内のリレー回路２３が導通状態で、地気監視装置３０に対し地気信号が発生中に、リレー接点ボード２２に対する地気回復信号の入力、又は伝送装置制御端末２０からの地気停止操作を行うと、上述した地気信号の発生は停止する。これにより、発生中となっている地気信号を、伝送装置制御端末２０から直接、又は遠隔から停止することが可能である。尚、図１中には、コントロールセンタ１０に１台の伝送装置制御端末の例を示すが、複数台の伝送装置制御端末が配置されるのが一般的である。そこで、コントロールセンタ１０内の全ての伝送装置制御端末２０に対し、上述の手段を導入することにより、全ての伝送装置制御端末２０の故障を迅速、確実且つ集中的に監視することが可能である。
【００２３】
次に、図２は、図１中のコントロールセンタ１０内の具定例の構成を示す。コントロールセンタ１０に配置される伝送装置制御端末２０は、伝送装置制御端末２０上で動作する監視アプリケーション２１、その監視対象である複数のハードディスクドライブ（ＨＤＤ１、ＨＤＤ２、ＨＤＤ３）およびリレー接点ボード２２により構成される。この特定例において、ＨＤＤ１、ＨＤＤ２およびＨＤＤ３は、ＲＡＩＤ５（Redundant Array of Inexpensive Disks）構成とする。即ち、エラー訂正情報を複数のディスクに分散して書き込む機能を有する。
【００２４】
監視アプリケーション２１がＨＤＤ１、ＨＤＤ２およびＨＤＤ３の動作を常時監視する。もし、これらＨＤＤの異常を監視アプリケーション２１が検出すると、監視アプリケーション２１からリレー接点ボード２２内のリレー回路２３を導通状態とする制御を行う。リレー回路２３が導通状態となることにより、地気監視装置３０からの電気信号が導通状態となったリレー回路２３を流れ、ループする形で地気信号として地気監視装置３０に発信される。そして、地気監視装置３０は、この地気信号を受信する。
【００２５】
リレー接点ボード２２のリレー回路２３が導通状態で、地気監視装置３０に対する地気信号が発信されている場合、地気監視装置３０からリレー接点ボード２２に対し地気回復信号が発生すると、リレー回路２３が非導通状態となる。その結果、リレー接点ボード２２からの地気信号の発信が停止する。また、伝送装置制御端末２０からアプリケーション２１に対し、オペレータが地気回復制御操作を行うと、監視アプリケーション２１がリレー接点ボード２２内のリレー回路２３を非導通状態とする制御を行い、リレー接点ボード２２からの地気信号の発信が停止する。
【００２６】
次に、図２を参照して本発明の伝送システムの詳細動作を説明する。伝送装置制御端末２０は、伝送装置４１ａ〜４１ｄの制御端末であり、伝送装置４１に対する設定情報を、ＲＡＩＤ５構成であるＨＤＤ１、ＨＤＤ２およびＨＤＤ３に保存している。また、伝送装置制御端末２０は、通信事業会社のコントロールセンタ１０に設置されている。このコントロールセンタ１０に、地気監視装置３０を、コントロールセンタ１０内の全ての伝送装置制御端末２０の故障検出監視用として設置する。通常、地気監視装置３０は、異常が発生した伝送装置から地気信号を受信することによって、複数の伝送装置４１ａ〜４１ｄの状態を監視する装置である。
【００２７】
伝送装置制御端末２０は、監視アプリケーション２１を使用して、自らのＲＡＩＤ５構成のＨＤＤ１、ＨＤＤ２およびＨＤＤ３の動作の監視を行っている。これら監視対象のＨＤＤ１、ＨＤＤ２およびＨＤＤ３に故障が発生した場合、監視アプリケーション２１は、この異常を検出し、リレー接点ボード２２内のリレー回路２３を導通状態とする制御を行う。リレー回路２３が導通状態となることにより、地気監視装置３０からの電気信号が導通状態となったリレー回路２３を流れ、ループする形で地気信号として地気監視装置３０に発信される。そして、地気監視装置３０は、この地気信号を受信する。この電流が地気信号として地気監視装置３０に検出される。
【００２８】
この地気監視装置３０での地気発生検出から、通信事業会社のオペレータは、伝送装置制御端末２０の故障を認識し、故障箇所の修理又は交換の手配を行う。修理又は交換が完了し、伝送装置制御端末２０が正常状態に復帰した場合には、以下の方法で地気の解除を行う。即ち、伝送装置制御端末２０から地気監視装置３０に対して地気が発生状態にある場合には、地気回復信号を地気監視装置３０から送信すると、導通状態であるリレー接点ボード２２内のリレー回路２３が非導通状態となり、地気信号が停止する。
【００２９】
同様に、伝送装置制御端末２０からオペレータが監視アプリケーション２１に対し地気停止操作を行うと、導通状態であるリレー接点ボード２２内のリレー回路２３が非導通状態となり、地気信号が停止する。
【００３０】
以上、本発明の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて、種々の変更又は応用が可能であること、当業者には容易に理解できよう。例えば、上述の実施例では、伝送装置制御端末の故障を通知対象としたが、通知のトリガとなるものは、他のものであってもよい。また、リレー回路は、一般的な電磁リレーのみならず、導通／非導通状態を制御可能な電子スイッチであってもよい。
【図面の簡単な説明】
【００３１】
【図１】本発明による伝送システムの全体システム構成を示すブロック図である。
【図２】図１中の伝送装置制御端末の具体例の構成を示すブロック図である。
【図３】従来の伝送システムのシステム構成を示すブロック図である。
【符号の説明】
【００３２】
１０  コントロールセンタ
２０  伝送装置制御端末
２１  監視アプリケーション
２３  リレー回路
３０  地気監視装置
４０  局舎
４１  伝送装置
【図１】
2005117434.tif 000003
【図２】
2005117434.tif 000004
【図３】
2005117434.tif 000005